(57)【要約】      （修正有）【課題】フィルムや紙等の枚葉状の試験片を切り出す際、再現良く安全に、所定の幅で平行に切り出すことができる枚葉状試験片サンプリング装置を提供する。【解決手段】定盤１と、定盤上に平行に固定された一対のガイドレール２と、それぞれのガイドレール上をスライドする１対のスライドブロック３に接続された本体４とからなり、本体下部には同軸上に等間隔に配置された少なくとも３枚の同径の円形刃５を有し、ガイドレールに沿って本体を移動させることにより、定盤上に置かれた枚葉状シート６を円形刃が回転しながら切断し、２枚以上の同幅の枚葉状試験片を作成する。【選択図】図１
0003196252.tif 000002
【実用新案登録請求の範囲】
【請求項１】
定盤と、定盤上に平行に固定された一対のガイドレールと、それぞれのガイドレール上をスライドする１対のスライドブロックに接続された本体とからなり、本体下部には同軸上に等間隔に配置された少なくとも３枚の同径の円形刃を有し、ガイドレールに沿って本体を移動させることにより、定盤上に置かれた枚葉状シートを円形刃が回転しながら切断し、２枚以上の同幅の枚葉状試験片を作成することができる枚葉状試験片サンプリング装置。
【請求項２】
隣り合う円形刃の間であって、円形刃を固定する軸と定盤間にカバーが設置され、円形刃のフィルムを切断する部分のみを該カバーから露出させ、切断された枚葉状試験片が円形刃間に巻き込まれるのを防ぐことができる請求項１に記載の枚葉状試験片サンプリング装置。
【請求項３】
隣り合う円形刃がスペーサーを挟むことにより一定間隔に配置され、スペーサーを交換することにより円形刃間の間隔を調整することができる請求項１または２に記載の枚葉状試験片サンプリング装置。
【考案の詳細な説明】
【技術分野】
【０００１】
本発明は、紙やフィルムなどの枚葉状シートから一度に複数枚の枚葉状試験片を一定の幅で切り出すのに好適な枚葉状試験片サンプリング装置に関する。
【背景技術】
【０００２】
紙やフィルムなどを扱う業界においては、枚葉状試験片をサンプリングし種々の評価が行われおり、このための一般的な方法は、スライド式カッターナイフを用い、定規等を用いてサンプリングする方法であるが、薄く軟らかい枚葉状シートでは定規等でしっかり押さえていても、スライド式カッターナイフの刃先の移動方向に力がかかることにより、枚葉状シートがずれたり皺が入ったりしやすく、安定した切断が困難であった。
【０００３】
ところで、切断する部分に上から押さえる力を発生させることで、切断部分が固定され、布帛のような薄く軟らかいものでも安定して切断することができるロータリーカッターが用いられている。例えば特許文献１のように、全体がグリップ部を構成する細長いカッターナイフ本体の一端に回転刃を保持し、回転刃は、支柱部材を中心として回動可能に保持されたものが知られている。
【０００４】
フィルムや紙等の枚葉状試験片を切り出す際、上記ロータリーカッターを用いることができるが、試験結果の比較のためには、試験片は同一形状であることが必須であり、試験片を大量に再現良く、所定の幅で平行に切り出すことが必要となる。
【先行技術文献】
【特許文献】
【０００５】
【特許文献１】特開２００８−２００４０９号公報
【特許文献２】特開２０１１−１４３１２８号公報
【考案の概要】
【考案が解決しようとする課題】
【０００６】
しかしながら、特許文献１に記載のロータリーカッターを用いたとしても、一定の大きさの試験片を切り出すには定規等の治具を用いる必要があり、多数の試験片を再現性良く作製するには制約があった。また、透けるフィルム・シート等の枚葉状シートであれば、方眼用紙上で定規を用いて一定の幅にて切断することができるが、目視によって切断するため、再現性には限界があった。不透明なフィルム・シートや紙等の枚葉状シートでは、一定幅に切り出すにはこれら枚葉状シート上に直接一定間隔で印を付け、それに定規等を合せて切り出すことが必要となり、極めて作業効率の悪いものとなった。
また、特許文献２に記載のロータリーカッターでは、一定の幅で試験片を切り出すことは可能であるが、１枚の試験片を切り出すことができるのみで、同時に何枚もの試験片を切り出すことができなかった。
さらに、これらロータリーカッターではカッターの刃がむき出しのため、手や指を切創する危険性があった。
【０００７】
本考案の課題は、紙やフィルムなどの枚葉状シートから、一度に複数枚の枚葉状試験片を一定の幅で安全に切り出すことである。
【課題を解決するための手段】
【０００８】
上記課題を解決するため、本考案は定盤と、定盤上に平行に固定された一対のガイドレールと、それぞれのガイドレール上をスライドする１対のスライドブロックに接続された本体とからなり、本体下部には同軸上に等間隔に配置された少なくとも３枚の同径の円形刃を有し、ガイドレールに沿って本体を移動させることにより、定盤上に置かれた枚葉状シートを円形刃が回転しながら切断し、２枚以上の同幅の枚葉状試験片を作成することができる枚葉状試験片サンプリング装置とした。
【考案の効果】
【０００９】
本考案の枚葉状試験片サンプリング装置を用いることで、一定幅の複数枚の枚葉状試験片を一度に、安全に切り出すことが可能となる。
【図面の簡単な説明】
【００１０】
【図１】本考案の枚葉状試験片サンプリング装置の一例の正面図である。
【図２】本考案の枚葉状試験片サンプリング装置の一例の上面図である。
【図３】本考案の枚葉状試験片サンプリング装置の一例の側面図である。
【図４】本考案の枚葉状試験片サンプリング装置の本体の一例の正面図である。
【図５】本考案の枚葉状試験片サンプリング装置の本体の一例の下面図である。
【図６】本考案の枚葉状試験片サンプリング装置の本体の一例の側面図である。
【考案を実施するための形態】
【００１１】
以下、本考案の枚葉状試験片サンプリング装置について図を用いて説明する。
図１〜３は本考案の枚葉状試験片サンプリング装置の一例を示すものであり、それぞれ正面図、上面図および側面図である。
一対のガイドレール２は定盤１上に平行に固定されている。ガイドレール２上にはスライドブロック３が設置されガイドレール２上を直線的に移動することができる。
本体４はそれぞれのガイドレール２上の一対のスライドブロック３に接続され、ガイドレール２に沿って移動することができる。
本体４の下部には同軸上に等間隔に配置された少なくとも３枚の同径の円形刃５を有しており、ガイドレール２に沿って本体４を移動させることにより、定盤１上に置かれた枚葉状シート６を円形刃５が回転しながら切断し、２枚以上の同幅の枚葉状試験片を作成することができる。同軸上に同径の円形刃５を有することにより、枚葉状シート６を平行に切断することができる。
定盤１と、円形刃５の間には小さなクリアランスがあって、軟質塩ビ等のシートを定盤１上に置いてクリアランスを調整するとともに枚葉状シート６が定盤１上を滑ることを防ぐことが好ましい。定盤１と円形刃５の間のクリアランスがないと、定盤１を円形刃５が傷つけるため上記設計とすることが好ましい。
ガイドレール２とスライドブロック３には、ガタツキなく直線的な移動が可能であれば特に限定はされないが、ＴＨＫ（株）製ＬＭガイド等を使用することができる。
【００１２】
図４〜６は本考案の枚葉状試験片サンプリング装置の本体の一例を示すものであり、それぞれ正面図、下面図、側面図である。
円形刃１１はスペーサー１２により等間隔に配置される。スペーサー１２の幅を変更することにより、枚葉状試験片の幅と枚数を変更することが可能である。
【００１３】
さらに、隣り合う円形刃の間であって、円形刃を固定する軸と定盤間にカバーが設置され、円形刃の枚葉状シートを切断する部分のみを該カバーから露出させ、切断された枚葉状試験片が円形刃間に巻き込まれるのを防ぐことが好ましい。図４〜６にカバー１３の例を示すが、円形刃１１の両側方を完全に覆っており、下方は円形刃１１の下部の枚葉状シートを切断する部分のみをカバーから露出させている。このカバーにより、切断された枚葉状試験片が回転刃１１の間に巻き込まれることなく、かつ円形刃の露出を抑えることができて安全に作業をすることができる。カバー１３は金属製であっても良いが、透明な樹脂製であると円形刃の状態を確認することができるため好ましい。
【実施例】
【００１４】
上記枚葉試験片サンプリング装置を用いて、円形刃の間隔を１５ｍｍとし、ポリプロピレン製の厚さ２５μｍフィルムを切り出したところ、効率よく安全に、精密に１５ｍｍ幅の試験片を切り出すことができた。
【符号の説明】
【００１５】
１．定盤
２．ガイドレール
３．スライドブロック
４．本体
５．円形刃
６．枚葉状シート
１１．円形刃
１２．スペーサー
１３．カバー
【図１】
0003196252.tif 000003
【図２】
0003196252.tif 000004
【図３】
0003196252.tif 000005
【図４】
0003196252.tif 000006
【図５】
0003196252.tif 000007
【図６】
0003196252.tif 000008